【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
ＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有し、かつ、不透明化剤を実質的に含まない少なくとも２層の非充填ポリエステル層と、少なくとも２層の重合体材料の充填層とを含む不透明多層フィルムであって、前記充填層が少なくとも５質量％の不透明化剤を含み、充填層と非充填層とが交互になっていることを特徴とする不透明多層フィルム。
【請求項２】
不透明化剤を実質的に含まない層の重合体材料が、少なくとも５質量％の不透明化剤を含む層の重合体材料と同一であることを特徴とする請求項１に記載のフィルム。
【請求項３】
前記充填層が、充填層の重合体材料の１０から３０質量％の範囲内の不透明化剤を含むことを特徴とする請求項１または２に記載のフィルム。
【請求項４】
少なくとも０．５の透過光学濃度を有することを特徴とする請求項１から３のいずれか一項に記載のフィルム。
【請求項５】
ＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有する不透明多層フィルムの製造方法であって、複数の重合体材料層を提供するステップであり、前記複数の層が少なくとも５質量％の不透明化剤を中に含有する少なくとも２層の充填重合体材料の層と、不透明化剤を実質的に含まない少なくとも２層の非充填ポリエステル材料の層とを含むステップと、前記複数の層の複合フィルムを形成するステップとを含み、充填層と非充填層とが交互になっていることを特徴とする不透明多層フィルムの製造方法。
【請求項６】
不透明化剤を実質的に含まない少なくとも２層の重合体材料の非充填層と、少なくとも２層の重合体材料の充填層とを含む不透明多層フィルム構造の使用であって、前記フィルムがＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有するように、不透明多層フィルムにおける改良される引裂き抵抗をもたらすために、前記充填層が少なくとも５質量％の不透明化剤を含むことを特徴とする不透明多層フィルム構造の使用。
【請求項７】
少なくとも２層の重合体材料の充填層を含む不透明多層フィルムの引裂き抵抗を改良する方法であって、前記フィルムがＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有するように、前記充填層が少なくとも５質量％の不透明化剤を含み、フィルム中に不透明化剤を実質的に含まない少なくとも２層の重合体材料の非充填層を組み込むステップを含むことを特徴とする不透明多層フィルムの引裂き抵抗を改良する方法。
【請求項８】
少なくとも２層の重合体材料の充填層を含む不透明多層フィルムの引裂き抵抗を改良するための、不透明化剤を実質的に含まない２層以上の非充填重合体材料の層の使用であって、前記フィルムがＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有するように、前記充填層が少なくとも５質量％の不透明化剤を含むことを特徴とする使用。
【手続補正２】
【補正対象書類名】明細書
【補正対象項目名】００２４
【補正方法】変更
【補正の内容】
【００２４】
引裂き強度は、特許文献８に記載されるように、フィルムのＧｒａｖｅｓ面積(Graves Area)として測定される。Ｇｒａｖｅｓ面積は、Ｇｒａｖｅｓ引裂き試験（ＡＳＴＭ  Ｄ１００４−９４Ａ）にかけられる（すなわち、Ｇｒａｖｅｓ引裂き試験用に特別に形作られるフィルムサンプルが、一定速度で離れて移動する向かい合うジョーの間に固定されて引裂き応力を小面積に集中させるという試験中の）フィルムの歪に対する応力のグラフプロットにおける曲線下の面積を数学的に積分することによって得られる。応力は、記録される荷重を試験サンプルのノッチ形状に向き合うフィルムの初期断面積で除算したものとして定義される。歪は、試験中に生じるジョー間の距離の変化（Δｌ）対ジョーの初期の離間距離（ｌ）の比として定義される。すなわち、歪は、Δｌ／ｌである。
【手続補正３】
【補正対象書類名】明細書
【補正対象項目名】００２６
【補正方法】変更
【補正の内容】
【００２６】
本明細書に記載される多層フィルムは、少なくとも０．３ｋｇ／ｍｍ２、好ましくは少なくとも０．６ｋｇ／ｍｍ２、そしてより好ましくは少なくとも０．９ｋｇ／ｍｍ２に等しいフィルムの一方または両方の次元における引裂き強度を示すことが好ましい。
【手続補正４】
【補正対象書類名】明細書
【補正対象項目名】００４０
【補正方法】変更
【補正の内容】
【００４０】
さらなる実施形態においては、多層フィルムの調製は、図２および以下に記載するように、共押出しされる重合体材料の別個の層を含む複合流についての層多重化装置を使用して実施することができる。図２中、ｚ軸は第１の複合流の流れの方向であり、ｘ軸は層界面の横方向の次元に沿って第１の複合流の横断方向に伸び、そしてｙ軸は第１の複合流の層の厚さ方向における層界面から垂直に伸びる。
【手続補正５】
【補正対象書類名】明細書
【補正対象項目名】０１０１
【補正方法】変更
【補正の内容】
【０１０１】
【表１】
2004525005.tif 000001
なお、ここで本発明の好ましい実施態様を以下に記載する。
１．ＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有し、かつ、不透明化剤を実質的に含まない少なくとも２層の非充填ポリエステル層と、少なくとも２層の重合体材料の充填層とを含む不透明多層フィルムであって、前記充填層が少なくとも５質量％の不透明化剤を含み、充填層と非充填層とが交互になっていることを特徴とする不透明多層フィルム。
２．前記充填層の重合体材料が、ポリエステルであることを特徴とする前記１．に記載のフィルム。
３．不透明化剤を実質的に含まない層の重合体材料が、少なくとも５質量％の不透明化剤を含む層の重合体材料と同一であることを特徴とする前記１．に記載のフィルム。
４．層の重合体材料が、ポリエチレンテレフタレートであることを特徴とする前記１．から３．のいずれか一項に記載のフィルム。
５．前記不透明化剤が、無機粒子充填剤であることを特徴とする前記１．から４．のいずれか一項に記載のフィルム。
６．前記不透明化剤が硫酸バリウムであることを特徴とする前記１．から５．のいずれか一項に記載のフィルム。
７．前記充填層が、充填層の重合体材料の１０から３０質量％の範囲内の不透明化剤を含むことを特徴とする前記１．から６．のいずれか一項に記載のフィルム。
８．多層構造（ＢＡ）ｎＢを有し、式中、Ａは非充填層を表し、Ｂは充填層を表し、ｎは少なくとも２であることを特徴とする前記１．から７．のいずれか一項に記載のフィルム。
９．ｎが少なくとも３であることを特徴とする前記８．に記載のフィルム。
１０．層の総数が７以上であることを特徴とする前記１．から９．のいずれか一項に記載のフィルム。
１１．少なくとも０．５の透過光学濃度を有することを特徴とする前記１．から１０．のいずれか一項に記載のフィルム。
１２．ＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有する不透明な引裂き抵抗性フィルムの製造方法であって、複数の重合体材料層を提供するステップであり、前記複数の層が少なくとも５質量％の不透明化剤を中に含有する少なくとも２層の充填重合体材料の層と、不透明化剤を実質的に含まない少なくとも２層の非充填ポリエステル材料の層とを含むステップと、前記複数の層の複合フィルムを形成するステップとを含み、充填層と非充填層とが交互になっていることを特徴とする不透明な引裂き抵抗性フィルムの製造方法。
１３．不透明化剤を実質的に含まない少なくとも２層の重合体材料の非充填層と、少なくとも２層の重合体材料の充填層とを含む多層フィルム構造の使用であって、前記フィルムがＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有するように、不透明重合体フィルムにおける改良される引裂き抵抗をもたらすために、前記充填層が少なくとも５質量％の不透明化剤を含むことを特徴とする多層フィルム構造の使用。
１４．少なくとも２層の重合体材料の充填層を含む不透明多層重合体フィルムの引裂き抵抗を改良する手段であって、前記フィルムがＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有するように、前記充填層が少なくとも５質量％の不透明化剤を含み、フィルム中に不透明化剤を実質的に含まない少なくとも２層の重合体材料の非充填層を組み込むステップを含むことを特徴とする不透明多層重合体フィルムの引裂き抵抗を改良する手段。
１５．少なくとも２層の重合体材料の充填層を含む不透明多層フィルムの引裂き抵抗を改良するための、不透明化剤を実質的に含まない２層以上の非充填重合体材料の層の使用であって、前記フィルムがＡＳＴＭ  Ｄ１００４−９４Ａにより、歪に対する応力のグラフプロットにおける曲線下の面積として測定される、フィルムの少なくとも１つの次元において少なくとも０．３ｋｇ／ｍｍ２の引裂き強度を有するように、前記充填層が少なくとも５質量％の不透明化剤を含むことを特徴とする使用。
１６．前記多層フィルムが、前記１．から１１．のいずれか一項に記載のフィルムであることを特徴とする、前記１２．から１５．のいずれか一項に記載の使用、方法または手段。